(57)【要約】【課題】簡単な構成により、使用者が自由にＬＥＤ照明装置の設置や設置場所の変更ができるとともに、設置の固定方向が制限されないＬＥＤ照明装置を提供する。【解決手段】ＬＥＤ照明装置１００は、筐体２１に、ＬＥＤ素子が実装されたＬＥＤ基板と、ＬＥＤ素子を点灯駆動するための点灯回路を構成する回路部品が実装された点灯ユニットと、を備えたＬＥＤランプ本体２を有しており、筐体２１の内部は、ＬＥＤ基板を上面部に配置したＬＥＤ照射部と、点灯ユニットの収納部とが中央面部で区画されており、ＬＥＤ照射部のＬＥＤ照射方向は、透光性カバー２４覆われるとともに、点灯ユニットの収納部は、透光性カバー２４と点灯ユニットカバー２５で覆われており、点灯ユニットにプラグ付コード１が接続されている。【選択図】図１
2015156292.tif 000002
【特許請求の範囲】
【請求項１】
筐体に、ＬＥＤ素子が実装されたＬＥＤ基板と、前記ＬＥＤ素子を点灯駆動するための点灯回路を構成する回路部品が実装された点灯ユニットと、を備えたＬＥＤランプ本体を有しており、
前記筐体の内部は、前記ＬＥＤ基板を上面部に配置したＬＥＤ照射部と、前記点灯ユニットの収納部とが中央面部で区画されており、
前記ＬＥＤ照射部のＬＥＤ照射方向は、透光性カバー覆われるとともに、前記点灯ユニットの収納部は、前記透光性カバーと点灯ユニットカバーで覆われており、
前記点灯ユニットにプラグ付コードが接続されていることを特徴とするＬＥＤ照明装置。
【請求項２】
前記点灯ユニットの収納部の端部方向に、
前記ＬＥＤ素子の点滅動作を制御するセンサユニットが配置され、
前記センサユニットは、前記透光性カバー及び前記点灯ユニットカバーと、
略同一の平面状のセンサユニットカバーで覆われていることを特徴とする請求項１に記載のＬＥＤ照明装置。
【請求項３】
前記筐体に、前記ＬＥＤランプ本体を、被取付部に少なくとも２方向に固定できるような取付孔が設けられていることを特徴とする請求項１又は請求項２のいずれかに記載のＬＥＤ照明装置。
【請求項４】
前記取付孔は、被取付部に固定する固定部材を挿入する挿入部と、
前記固定部材を固定するための挿入部の少なくとも２方向に延出した固定部を有することを特徴とする請求項３に記載のＬＥＤ照明装置。
【請求項５】
前記挿入部は、前記固定部材の頭部外径より大きく、前記固定部は、前記固定部材の頭部外径よりも小さくて胴体部外径よりも大きく形成されていることを特徴とする請求項４に記載のＬＥＤ照明装置。
【発明の詳細な説明】
【技術分野】
【０００１】
本発明は、ＬＥＤ素子を光源に使用したＬＥＤ照明装置に関し、特に施工をしないで、天井面や側壁等に直接取り付けたり、台等に配置したりすることができる直付型ＬＥＤ照明装置に関するものである。
【背景技術】
【０００２】
近年、環境意識の高まりから、省電力化に優れたＬＥＤ素子を光源に使用した、電源内蔵型の電球型ＬＥＤランプが普及してきた。更に最近は、天井埋め込み型のダウンライトや、天井直付型のシーリングライトにおいても、ＬＥＤ素子を使用した照明装置が開発され、市場に導入されてきている。
【０００３】
天井面や側壁に直接取り付ける照明器具としては、建物の天井面に形成された開口部に取り付けられているものや、取付部を用いて取り付けられるものが検討されている（例えば、特許文献１、２等参照）。
また、取付方法として係止部構造を用いた照明器具が検討されている（例えば、特許文献３等参照）。
【０００４】
この特許文献１に記載されている照明器具は、建物の天井面に形成された開口部に取り付けられているもので、周囲の照度または人体を感知する感知部と、この感知部からの信号により光源への給電状態を制御する制御部とを有し、さらに、感知部の感知領域を変更する感知範囲変更手段を具備するので、設置場所に応じて感知部の感知領域を変更し、照度感知、人体感知等の感知制度を高めることができる照明器具が提供される。
【０００５】
また、特許文献２に記載されている照明器具は、取付部を用いて取り付けられるもので、被設置面から離間した空間部を形成した取付部を有する器具本体により、器具本体が冷却され、光源の熱を効果的に放熱させることが可能となり、器具本体の小型、薄型化を図りつつ、放熱性能を向上させることが可能な照明器具が提供される。
【０００６】
さらに、特許文献３に記載されている照明器具には、ねじの頭部を鍵穴の大きい方に入れ、鍵穴の小さい方に周溝をスライドさせ、ねじが本体背面に抜けないようにした係止部を設けたので、組み立ての作業性を向上することができる照明器具が提供される。
【０００７】
このように、照明器具を天井面や側壁に直接取り付けているが、この特許文献１や２に記載されている照明器具においては、電気工事の施工による外部電源線との接続が必要となるため、使用者が自由に照明器具を設置することや、設置場所を変更することができないという問題が生じていた。
また、この特許文献３に記載されている照明器具においては、係止部を設けたが、一方向のスライドにのみ対応できる構造のため、この係止部構造を用いて、照明器具の取り付けを行うときに、照明器具の設置する方向が制限されるという問題が生じていた。
【先行技術文献】
【特許文献】
【０００８】
【特許文献１】特開平８−２５９９９９号公報
【特許文献２】特開２００８−１６６０９７号公報
【特許文献３】特開２００４−３３５３１７号公報
【発明の概要】
【発明が解決しようとする課題】
【０００９】
本発明が解決しようとする課題は、上記の問題点に鑑みて提案されたものであり、簡単な構成により、使用者が自由にＬＥＤ照明装置の設置や設置場所の変更ができるとともに、設置の固定方向が制限されないＬＥＤ照明装置を提供することにある。
【課題を解決するための手段】
【００１０】
上記課題を解決するため、請求項１に記載の発明にあっては、筐体に、ＬＥＤ素子が実装されたＬＥＤ基板と、ＬＥＤ素子を点灯駆動するための点灯回路を構成する回路部品が実装された点灯ユニットと、を備えたＬＥＤランプ本体を有しており、筐体の内部は、ＬＥＤ基板を上面部に配置したＬＥＤ照射部と、点灯ユニットの収納部とが中央面部で区画されており、ＬＥＤ照射部のＬＥＤ照射方向は、透光性カバー覆われるとともに、点灯ユニットの収納部は、透光性カバーと点灯ユニットカバーで覆われており、点灯ユニットにプラグ付コードが接続されていることを特徴とする。
【００１１】
また請求項２の発明にあっては、点灯ユニットの収納部の端部方向に、ＬＥＤ素子の点滅動作を制御するセンサユニットが配置され、センサユニットは、透光性カバー及び点灯ユニットカバーと、略同一の平面状のセンサユニットカバーで覆われていることを特徴とする。
【００１２】
また請求項３の発明にあっては、筐体に、ＬＥＤランプ本体を、被取付部に少なくとも２方向に固定できるような取付孔が設けられていることを特徴とする。
【００１３】
また請求項４の発明にあっては、取付孔は、被取付部に固定する固定具を挿入する挿入部と、固定具を固定するための挿入部の少なくとも２方向に延出した固定部を有することを特徴とする。
【００１４】
また請求項５の発明にあっては、挿入部は、固定部材の頭部外径より大きく、固定部は、固定部材の頭部外径よりも小さくて胴体部外径よりも大きく形成されていることを特徴とする。
【発明の効果】
【００１５】
請求項１〜請求項４の発明によれば、簡単な構成により、使用者が自由にＬＥＤ照明装置の設置や設置場所の変更ができるとともに、設置の固定方向が制限されないＬＥＤ照明装置を提供することができる。また、下述する本発明の実施形態で説明した特有の効果が得られる。
【図面の簡単な説明】
【００１６】
【図１】本実施形態に係わるＬＥＤ照明装置の外観斜視図
【図２】本実施形態に係わるＬＥＤ照明装置の断面図
【図３】本実施形態に係わるＬＥＤ照明装置のカバーを除いた外観斜視図
【図４】本実施形態に係わるＬＥＤ照明装置の分解斜視図
【図５】本実施形態に係わる筐体の外観斜視図
【図６】本実施形態に係わる筐体の断面図
【図７】本実施形態に係わる筐体の一部拡大斜視図
【図８】本実施形態に係わる筐体の取付孔拡大図
【図９】本実施形態に係わる点灯ユニットの分解斜視図
【図１０】本実施形態に係わるセンサユニットの外観斜視図
【図１１】本実施形態に係わるセンサユニットの分解斜視図
【図１２】本実施形態に係わるセンサユニットカバーの外観斜視図
【図１３】本実施形態に係わる筐体端部内部の斜視図
【図１４】本実施形態に係わるＬＥＤ照明装置の取付例であり、（ａ）は縦配置図、（ｂ）は横配置図
【発明を実施するための形態】
【００１７】
以下に本発明の好適な実施の形態について、図面を参照しながら詳細に説明する。なお本実施形態は一例であり、これに限定されるものではない。
【００１８】
図１乃至図３は、本発明のＬＥＤ照明装置１００の実施の形態の一つを示し、この実施形態に係わるＬＥＤ照明装置１００は、天井面や側壁等の被取付部５（図１４参照）に固定されるＬＥＤランプ本体２とＬＥＤランプ本体２の点灯ユニット２７と接続されているプラグ付コード１を備えている。
このＬＥＤ照明装置１００は、天井面や側壁等の被取付部５に、ＬＥＤランプ本体２の筐体２１の取付孔２１ｐをネジ等の固定手段により固定されて、プラグ付コード１のプラグを商用電力のコンセントに差し込まれることにより使用可能となる。
【００１９】
（１．プラグ付コード）
プラグ付コード１は、コードの一方端に商用電力のコンセントに差し込むためのプラグが接続されて、他方端はＬＥＤランプ本体２の端部カバー２６ｂに設けられた端部コード用開口部２６ｃ（図４参照）から挿入され点灯ユニット２７内の電源端子台２７ｉに接続されている。
なお、接続されたコードは、端部コード用開口部２６ｃと、図９に示すように点灯ユニット２７の挿入孔２７ｊで固定されており、プラグのコンセントへの抜き差しの時の張力により電源端子台２７ｉから抜けないように対応されている。
【００２０】
（２．ＬＥＤランプ本体）
ＬＥＤランプ本体２は、図１乃至図４に示すように、筐体２１と、筐体２１の内部に収納され、ＬＥＤ素子２３を点灯させる点灯回路２７ｄを構成する各種回路部品とが実装された点灯基板２７ｅ（図９参照）を有する点灯ユニット２７と、スイッチ部とセンサ部が設置されているセンサユニット２８と、複数のＬＥＤ素子２３を搭載しているＬＥＤ基板２２と、点灯ユニット２７を覆う点灯ユニットカバー２５と、ＬＥＤ基板２２を配置した位置の筐体２１の開口部を覆う透光性カバー２４とから概略構成されている。
【００２１】
（２．−１筐体）
筐体２１は、図５乃至図７に示すように、全体が略矩形体であり、アルミニウムの押出成形による一体成形で作成されている。筐体２１は、長方形の上面部２１ｃと、上面部２１ｃの幅方向一側部から垂直に延出した背面部２１ｂと、背面部２１ｂと対向するように上面部２１ｃの中央部から垂直に延出した中央面部２１ｄと、上面部２１ｃの幅方向他側部から垂直に延出した前面部２１ａで、概略構成されている。上面部２１ｃには、被取付部５にＬＥＤランプ本体２を固定するための取付孔２１ｐが、開口されている。中央面部２１ｄによって筐体２１の内部はＬＥＤ基板収納部と点灯ユニット収納部に区画されている。中央面部２１ｄは筐体２１の内部中央部に配置する必要はなく、ＬＥＤ基板２２又は点灯ユニット２７の構成割合に応じて配置位置を変更できる。
【００２２】
前面部２１ａと背面部２１ｂの上端部は上面部２１ｃに突出しており、中央面部２１ｄに対応する上面部２１ｃには上面凸部２１ｆが突設されている。これにより、天井面や側壁等の被取付部５に固定するときに、被取付部５の凹凸部分を吸収して、安定して取り付け固定できることが可能となる。
【００２３】
中央面部２１ｄと前面部２１ａ間の筐体２１内部における上面部２１ｃ側には、ＬＥＤ基板２２を装着させるための凹状の基板装着部２１ｅが設けられており、ＬＥＤ基板２２とＬＥＤ基板２２に取り付けた反射シート２２ｂ（図２参照）が一緒にスライド挿入されて装着される。同様に、中央面部２１ｄと前面部２１ａの開放端側に、透光性カバー２４を装着させるための凹状の１対の透光性カバー装着部２１ｈが設けられており、透光性カバー２４がスライド挿入されて装着される。また、中央面部２１ｄと背面部２１ｂの開放端側に、点灯ユニットカバー２５とセンサユニットカバー２９を装着させるための１対の凹凸状のカバー装着部２１ｊが設けられており、点灯ユニットカバー２５とセンサユニットカバー２９がスライド挿入されて装着される。点灯ユニットカバー２５は、撓ませることによっても装着することができる。
【００２４】
また、ＬＥＤ素子２３の搭載面側の筐体２１の中央面部２１ｄと前面部２１ａの内面側を、光沢面にすることや、高反射シートを貼合することや、高反射用樹脂を塗布することにより、ＬＥＤ素子２３の照射光が中央面部２１ｄと前面部２１ａの内面の間で反射を繰り返し、光の反射効率を高め、光取り出し効率を改善することができる。
【００２５】
点灯ユニット２７を収納する筐体２１の上面部２１ｃの内側に、筐体２１の長手方向に並行に凸形状の位置決め部２１ｇが設けられており、点灯ユニット２７の凹形状と嵌合させることにより、位置決めを行うことが可能になる。位置決め部２１ｇの凸形状は、その部分のアルミニウムの厚さを厚くしているので、位置決め部２１ｇにネジ溝を切って、点灯ユニット２７を固定するネジを直接に位置決め部２１ｇに挿入することによって固定することが可能となっている。同様に、筐体２１の長手方向両端部は、端部カバー２６ａと端部カバー２６ｂと嵌着する部分の複数の箇所にネジを挿入できるように端部固定溝２１ｋをアルミニウムによる凹部で作成しておくことにより、端部カバー２６を固定するネジを直接挿入して固定することが可能になっている。これにより、簡単に嵌め込むことができ作業性が向上し、工数とネジ挿入部を設けるコストを削減することができる。
また、筐体２１の内側に配線を固定するための配線留め具６が設けられおり、筐体２１内部の配線整理を行うことができる。
【００２６】
（２．−２  取付孔）
ＬＥＤランプ本体２を被取付部５に固定するための取付孔２１ｐは、図３に示すように、筐体２１の中央面部２１ｄに近い点灯ユニット２７が配置されている上面部２１ｃに、２箇所設けられている。取付孔２１ｐは、図８に示すように、ネジ、釘等の固定部材の頭部の外径より大きい挿入部２１２と、固定部材の頭部の外径より小さくて胴体部（軸部）外径より大きく挿入部２１２の外縁より延出している固定部２１１で構成されている。挿入部２１２の中心部から互いに約９０度の角度をもって、２つの固定部２１１が延出されている。２つの固定部２１１は、ＬＥＤランプ本体２の外形縦横の方向に一致するように配設されることにより、固定時の位置合わせが行い易くなり、固定が容易にできる。
また、取付孔２１ｐが設けられている筐体２１の内側周囲を、円筒形状などの遮蔽する壁を設けて、取付孔２１ｐ部分に配線等が、固定部材を妨げないようにすることにより、さらに固定が容易に行えるようになる。
【００２７】
（２．−３  ＬＥＤ基板）
ＬＥＤ基板２２は、図２乃至図４に示すように、長方形の形状であり、ＬＥＤ素子２３と反射シート２２ｂが搭載されて、筐体２１の基板装着部２１ｅにスライド挿入されることにより、装着されている。これにより、ＬＥＤ基板２２が、筐体２１に接触しているので、ＬＥＤ素子２３の発熱を放熱して、温度上昇を抑制することが可能である。ＬＥＤ基板２２の下面部にはＬＥＤ素子２３が長手方向の筐体２１の中央に１列で整列されて配置されている。また、ＬＥＤ基板２２の下面部に、ＬＥＤ素子２３を覆わないように反射シート２２ｂが配設して、ＬＥＤ素子２３の出射光の反射効率を高め、光取り出し効率を改善することができる。図１３に示すように、ＬＥＤ基板２２の一方端に基板接続端子２２ａが設けられ、点灯ユニット２７と電気的に接続されている。
【００２８】
また、ＬＥＤ素子２３の搭載面側に、反射シートを貼合することや、高反射用樹脂を塗布することにより、光取り出し効率を改善することができる。
なお、このＬＥＤ基板２２に実装されるＬＥＤ素子２３としては、公知の種々のＬＥＤ素子や有機ＥＬ素子等を用いることができる。図示の実施の形態では、照明用の白色光を発光する高輝度タイプのＬＥＤ素子２３が用いられている。
【００２９】
（２．−４  透光性カバー）
透光性カバー２４は、ポリカーボネート（ＰＣ）等の熱可塑性樹脂を使用して、長方形の形状に成型されている。図２乃至図６に示すように、透光性カバー２４は、筐体２１の前面部２１ａと中央面部２１ｄの端部に設けられた突部分の透光性カバー装着部２１ｈに、長手方向の端辺部をスライド挿入して、両端部を端部カバー２６により嵌合されて固定されている。
【００３０】
この透光性カバー２４は、図２乃至図６に示すように、透光性カバー２４に高密度となる光拡散面を形成するシボ加工を施したり、材料に拡散剤を含有させたりして、光を均一に照射することができる。また、透光性カバー２４で反射された光が拡散反射され、さらに、筐体２１の前面部２１ａと中央面部２１ｄでも反射され、これが繰り返されて透光性カバー２４の全面を光らせることができ、光源として均一に光を照射している。さらに、ＬＥＤ素子２３の搭載面側の筐体２１の内面に、反射シートを貼合することや、高反射用樹脂を塗布することによって、光取り出し効率を改善することもできる。
このことにより、透光性カバー２４の全面において、ＬＥＤ素子２３からの光を均一に照射することが可能となっている。
【００３１】
（２．−５  点灯ユニット）
点灯ユニット２７は、図２乃至図４及び図９に示すように、筐体２１の上面部２１ｃ内側において、位置決め部２１ｇに嵌合して設置されている。点灯ユニット２７は、ＬＥＤ素子２３を点灯させるための点灯回路２７ｄと、それを保護している点灯絶縁カバー２７ｃと金属カバー２７ａから構成されている。点灯回路２７ｄは、回路部品２７ｆを搭載した点灯基板２７ｅからなり、電源端子台２７ｉにおいてプラグ付コード１と接続されている。点灯回路２７ｄは、筐体２１と絶縁するために、ポリカーボネート（ＰＣ）等の点灯絶縁カバー２７ｃによって、覆われている。また、点灯回路２７ｄを構成する各種の回路部品２７ｆは、過電流保護、ノイズカット、整流、平滑、調光制御などを行うための各種ダイオード、コンデンサー、ＩＣ、抵抗などの公知の電子部品である。
【００３２】
さらに、点灯絶縁カバー２７ｃは、外部に不要なノイズを遮断するための金属カバー２７ａにより覆われている。金属カバー２７ａの端部に、点灯回路２７ｄからの配線用コネクタが、金属カバー２７ａの外部に出せるように、金属カバー２７ａの両端面部と、この両端面部の下端から延出している金属延出部２７ｂにまたがって、略円形の取出穴２７ｇが形成されている。金属延出部２７ｂの底面に形成された凹形状部２７ｈを、筐体２１の位置決め部２１ｇに嵌合して、金属延出部２７ｂを、ネジにより筐体２１の位置決め部２１ｇに固定する。金属延出部２７ｂを筐体２１に固定するときに、点灯ユニット２７からのグランド線を一緒に、筐体２１に固定する。これにより、点灯ユニット２７から発生するノイズを減衰させることが、可能となる。金属カバー２７ａと点灯絶縁カバー２７ｃの長さ方向の一端面部にはプラグ付コード１を挿入する取出穴２７ｇと挿入孔２７ｊが開口されている。
【００３３】
また、点灯ユニット２７の筐体２１への固定方法としては、上記のネジによる固定方法のほかに、点灯ユニット２７を筐体２１にスライドで挿入させて、筐体２１の背面部２１ｂとの間に、ばねを配置して固定することも可能である。
【００３４】
（２．−６  点灯ユニットカバー）
点灯ユニットカバー２５は、ポリカーボネート（ＰＣ）等の熱可塑性樹脂を使用して、長方形の形状に成型されている。図２乃至図３に示すように、筐体２１の背面部２１ｂと中央面部２１ｄの間に、点灯ユニットカバー２５を撓ませて挿入して嵌合させる。これにより、外部より点灯ユニット２７と、その配線が見えなくすることが可能となる。また、筐体２１に対する点灯ユニットカバー２５の取り外しが、安易にできるようにセンサユニットカバー２９の点灯ユニットカバー２５と嵌装するところに凹部形状のカバー係合部２９ｆ（図１２参照）を設けている。
【００３５】
（２．−７  センサユニット）
センサユニット２８は、図１に示すように、その表面部（後述するセンサユニットカバー２９の表面部）が透光性カバー２４面と略同一平面となるように配置されている。また図１１に示すように、センサ基板２８には、人体を検知する焦電センサ２８ｄと、明るさを測定する照度センサ２８ｅと、焦電センサ２８ｄが作動していることを表示するセンサ動作灯２８ｆと、照度センサ２８ｅの検出照度により焦電センサ２８ｄによるＯＮ／ＯＦＦ動作を選択するためのスライドスイッチ２８ｇが搭載されている。センサユニット２８は、図４及び図１０、図１１に示すように、下部が開放されて、ポリカーボネート（ＰＣ）等を使用して作成されている長方体形状のセンサカバー部材２８ａに、センサ基板２８ｃとセンサ絶縁カバー２８ｐを挟み爪２８ｎにより、挟み込んで固定している。これにより、工数とコストの削減を行うことができる。センサカバー部材２８ａには、外部からの光を通過させるセンサ窓２８ｊと、スライドスイッチ２８ｇの操作部を外部に出すためのスライドスイッチ窓２８ｋと、スイッチ２９ａの端子との絶縁を図るためのスイッチ絶縁部２８ｍが設けられている。なお、センサ基板２８ｃの表面に、焦電センサ２８ｄと、照度センサ２８ｅと、センサ動作灯２８ｆと、スライドスイッチ２８ｇとセンサ接続端子２８ｈが、センサ基板２８ｃの裏面に、回路部品２８ｉが搭載されている。
【００３６】
これにより、焦電センサ２８ｄと照度センサ２８ｅとセンサ動作灯２８ｆが一つの基板に搭載されて一体化されているので、小型化、薄型化を図ることができ、工数とコストの削減をすることができる。
【００３７】
さらに、センサ保護カバー２８ｂは、略半球状の焦電センサカバー２８１と、略円筒状の照度センサカバー２８２と、略台形の表示灯固定部２８３で構成されている。センサ動作灯２８ｆの光が、照度センサ２８ｅに漏れて誤動作しないように、黒のナイロン樹脂により作成された照度センサカバー２８２により照度センサ２８ｅが覆われている。黒のナイロン樹脂を使用することにより、光の反射による照度センサ２８ｅの精度悪化を防ぐと共に、照度センサ２８ｅ、表示灯固定部２８３の発熱に対して強い構造となっている。
また照度センサカバー２８２の上面には、照度センサ２８ｅの頂部を露出する照度開口部２８２ａが開口されている。これにより、照度センサ２８ｅの正面における照度を正確に検出することが可能となり、誤動作を防いで、作動精度を向上させることができる。
表示灯固定部２８３の上面には、センサ動作灯２８ｆの端子を固定する固定開口部２８３ａが開口されている。センサ基板２８ｃには、センサ接続端子２８ｈが設けられ、点灯ユニット２７と電気的に接続されている。
焦電センサカバー２８１は、略半球状のフレネルレンズにより構成されているので、センサの検知範囲と検知距離を設定することができ、作動精度を向上させることができる。
【００３８】
スライドスイッチ２８ｇは、３つの設定ができるスイッチで、照度センサ２８ｅの検知により、焦電センサ２８ｄによる検出を３モードで行っている。第１のモードは、ＯＦＦ（焦電センサ２８ｄを使用せずに常に発光させる）で、第２のモードは、ＯＮ（照度センサ２８ｅによる制御を行い、５０ルクス（ｌｘ）以下の明るさの時に焦電センサ２８ｄを動作させる）で、第３のモードは、ＯＮ（照度センサ２８ｅによる制御を行い、５ルクス（ｌｘ）以下の明るさの時に焦電センサ２８ｄを動作させる）と設定されている。スライドスイッチ２８ｇを用いることにより、設定の切替を正確に簡単にすることができる。
【００３９】
（２．−８  センサユニットカバー）
センサユニットカバー２９は、図１及び図１２に示すように、長方形の略平板形状に成型されている。センサユニットカバー２９にセンサユニット２８のセンサカバー部材２８ａが固定され、センサユニットカバー２９が、筐体２１の背面部２１ｂと中央面部２１ｄの間に、スライドにより挿入される。筐体２１に対する点灯ユニットカバー２５の取り外しが、安易にできるようにセンサユニットカバー２９の点灯ユニットカバー２５と嵌装するところに凹部形状のカバー係合部２９ｆを設けている。
これにより、外部よりセンサユニット２８が見えなくすることが可能となる。センサユニットカバー２９はセンサユニット２８の表面カバーとなるものであり、その平面部は前記透光性カバー２４と略同一平面となるように配置される。
【００４０】
センサユニットカバー２９には、ＬＥＤランプ本体２をＯＮ／ＯＦＦするスイッチ２９ａと、焦電センサカバー２８１と嵌装する焦電センサ開口部２９ｂと、照度センサカバー２８２と嵌装する照度センサ開口部２９ｃと、センサ動作灯２８ｆと嵌装する動作灯開口部２９ｄと、スライドスイッチ２８ｇを外部から操作できるようにするスライドスイッチ開口部２９ｅが、設けられている。
【００４１】
（２．−９  端部カバー）
端部カバー２６ａと端部カバー２６ｂは、図１及び図４に示すように、一対で、筐体２１の両端を覆いＬＥＤランプ本体２を構成するものであり、端部カバー２６ａと、端部コード用開口部２６ｃが設けられている端部カバー２６ｂの２種類よりなる。端部カバー２６ｂには、プラグ付コード１が供給できるように、端部コード用開口部２６ｃが設けられ、プラグ付コード１が挿入され点灯ユニット２７に接続されている。これにより、電気工事の施工なしでＬＥＤ照明装置１００が使用可能になり、多方面の用途に対応することができる。
【００４２】
端部カバー２６ａは、筐体２１とＬＥＤ基板２２と透光性カバー２４とセンサユニットカバー２９の各端面と嵌合させて、覆いネジにより筐体２１に固定されている。このとき、ＬＥＤ基板２２の基板接続端子２２ａと点灯ユニット２７を接続する電線を配線するために、筐体２１の中央面部２１ｄの端部の設けられている配線用開口部２１ｍ（図７参照）は、シリコンゴム製の封止栓２１ｎ（図１３参照）により封止される。
【００４３】
また、端部カバー２６ｂは、筐体２１又は端部カバー挿入開口部２１ｐとＬＥＤ基板２２と透光性カバー２４と点灯ユニットカバー２５の各端面と嵌合させて、覆いネジにより筐体２１に固定されている。これにより、ＬＥＤランプ本体２は、取り付けのときに使用する点灯ユニットカバー２５以外は、固定される構造となり、粉塵や虫等が侵入するのを防ぐ効果も併せて生じさせることができる。
【００４４】
（３．動作）
本発明のＬＥＤ照明装置１００の取付方法と操作方法について、説明する。まず、ＬＥＤランプ本体２の点灯ユニットカバー２５を外して、ＬＥＤランプ本体２の取付孔２１ｐを用いて、固定ネジ７等の固定手段によりＬＥＤランプ本体２を被取付部５に固定する。その後、点灯ユニットカバー２５を筐体２１に嵌め込み、ＬＥＤ照明装置１００の取付が完了する。ＬＥＤ照明装置１００のプラグ付コード１のプラグを、商用電源のコンセントに挿入し、電力を供給する。
センサユニットカバー２９のスイッチ２９ａにより、ＬＥＤ照明装置１００のＯＮ／ＯＦＦ操作を行う。また、センサユニットカバー２９のスライドスイッチ開口部２９ｅから操作するスライドスイッチ２８ｇにより、照度センサ２８ｅの検出モードを切換えることができる。照度センサ２８ｅによる検出モードをＯＮにすることにより、焦電センサ２８ｄが焦電センサカバー２８１を透過して、人体等を検知することにより、ＬＥＤ照明装置１００のＯＮ／ＯＦＦ操作が行われる。
【００４５】
（４．取付部による固定例）
通常、ＬＥＤ照明装置１００の天井や壁等の被取付部５への固定は、ＬＥＤ照明装置１００を縦に取り付ける場合と、横に取り付ける場合が考えられる。縦・横に取り付ける場合について、図８と図１４を用いて説明する。
縦に取り付ける場合は、図１４（ａ）に示すように、壁の被取付部５に、筐体２１の２つの取付孔２１ｐと同等の間隔を空けて固定ネジ７を取り付ける。固定ネジ７に点灯ユニットカバー２５を取り外したＬＥＤ照明装置１００の取付孔２１ｐの挿入部２１２を挿入する。固定ネジ７が挿入部２１２に挿入された後、ＬＥＤ照明装置１００を長手方向に移動させて、固定部２１１に嵌装させる。
ＬＥＤ照明装置１００を、より強固に被取付部５に固定したい場合には、固定ネジ７をさらに締め付けることにより可能になる。その後、点灯ユニットカバー２５を撓ませて挿入して嵌合させる。
【００４６】
横に取り付ける場合は、図１４（ｂ）に示すように、壁の被取付部５に、筐体２１の２つの取付孔２１ｐと同等の間隔を空けて固定ネジ７を取り付ける。固定ネジ７に点灯ユニットカバー２５を取り外したＬＥＤ照明装置１００の取付孔２１ｐの挿入部２１２を挿入する。固定ネジ７が挿入部２１２に挿入された後、ＬＥＤ照明装置１００を短手方向に移動させて、固定部２１１に嵌装させる。
ＬＥＤ照明装置１００を、より強固に被取付部５に固定したい場合には、固定ネジ７をさらに締め付けることにより可能になる。その後、点灯ユニットカバー２５を撓ませて挿入して嵌合させる。
【００４７】
また、ＬＥＤランプ本体２とプラグ付コード１の接続位置を変更できる機構とすることにより、さらに固定位置選択の自由度が増して利用価値を向上させることができる。
本発明のＬＥＤ照明装置１００は、筐体２１の上面部２１ｃを直接被取付部５に固定する形態について、記載したが、別に取付板を設けて取り付けることも可能である。これにより、使用者が用途に合わせて、ＬＥＤ照明装置１００の取付場所を自由に選択できるように設定されている。
【００４８】
以上のように、本実施形態では、簡単な構成により、使用者が自由にＬＥＤ照明装置の設置や設置場所の変更ができるとともに、設置の固定方向が制限されないＬＥＤ照明装置を提供し、良好な意匠性を示している。
【００４９】
以上、この発明の実施の形態を説明したが、この発明は、これらの実施の形態に限られるものではなく、この発明の要旨を逸脱しない範囲の設計変更があっても本発明に含まれる。すなわち、当業者であれば、当然なし得る各種変形、修正もまた本発明に含まれる。
【産業上の利用可能性】
【００５０】
本発明は、クローゼットや物入れ、更に、通路、廊下等の天板や壁側面等に沿って設置されるＬＥＤ照明装置として、広く適用することができる。
【符号の説明】
【００５１】
１： プラグ付コード
２：ＬＥＤランプ本体
２１：筐体
２１ａ：前面部
２１ｂ：背面部 
２１ｃ：上面部
２１ｄ：中央面部
２１ｅ：基板装着部
２１ｆ：上面凸部
２１ｇ：位置決め部
２１ｈ：透光性カバー装着部
２１ｊ：カバー装着部
２１ｋ：端部固定溝
２１ｍ：配線用開口部
２１ｎ：封止栓
２１ｐ：取付孔
２１１：固定部
２１２：挿入部
２２：ＬＥＤ基板 
２２ａ：基板接続端子
２２ｂ：反射シート
２３：ＬＥＤ素子
２４：透光性カバー
２５：点灯ユニットカバー
２６：端部カバー
２６ａ：端部カバー
２６ｂ：端部カバー
２６ｃ：端部コード用開口部
２７：点灯ユニット
２７ａ：金属カバー
２７ｂ：金属延出部
２７ｃ：点灯絶縁カバー
２７ｄ：点灯回路
２７ｅ：点灯基板
２７ｆ：回路部品
２７ｇ：取出穴
２７ｈ：凹形状部
２７ｉ：電源端子台
２７ｊ：挿入孔
２８：センサユニット
２８ａ：センサカバー部材
２８ｂ：センサ保護カバー
２８１：焦電センサカバー
２８２：照度センサカバー
２８２ａ：照度開口部
２８３：表示灯固定部
２８３ａ：固定開口部
２８ｃ：センサ基板
２８ｄ：焦電センサ
２８ｅ：照度センサ
２８ｆ：センサ動作灯
２８ｇ：スライドスイッチ 
２８ｈ：センサ接続端子
２８ｉ：回路部品
２８ｊ：センサ窓
２８ｋ：スライドスイッチ窓
２８ｍ：スイッチ絶縁部
２８ｎ：挟み爪
２８ｐ：センサ絶縁カバー
２９：センサユニットカバー
２９ａ：スイッチ
２９ｂ：焦電センサ開口部
２９ｃ：照度センサ開口部
２９ｄ：動作灯開口部
２９ｅ：スライドスイッチ開口部
２９ｆ：カバー係合部
５： 被取付部
６：配線留め具
７：固定ネジ
１００：ＬＥＤ照明装置
【図１】
2015156292.tif 000003
【図２】
2015156292.tif 000004
【図３】
2015156292.tif 000005
【図４】
2015156292.tif 000006
【図５】
2015156292.tif 000007
【図６】
2015156292.tif 000008
【図７】
2015156292.tif 000009
【図８】
2015156292.tif 000010
【図９】
2015156292.tif 000011
【図１０】
2015156292.tif 000012
【図１１】
2015156292.tif 000013
【図１２】
2015156292.tif 000014
【図１３】
2015156292.tif 000015
【図１４】
2015156292.tif 000016